(57)【要約】      （修正有）【課題】簡易な構成で精度のよい両面印刷が可能な印刷機を提供する。【解決手段】画像形成部による画像が形成される第１の胴４と、第１の胴４と隣接する第２の胴５とを備え、第１の胴４には表面用転写部４Ｆと裏面用一次転写部４Ｂが設けられており、第２の胴５には裏面用二次転写部５Ｂが設けられており、第１の胴４と第２の胴５との間に枚葉紙を搬送することにより枚葉紙の両面に同時に印刷が可能である。【選択図】図２
2016203546.tif 000002
【特許請求の範囲】
【請求項１】
画像形成部による画像が形成される第１の胴と、該第１の胴と隣接する第２の胴とを備え、該第１の胴と該第２の胴との間に枚葉紙を搬送することにより枚葉紙に印刷を行う印刷機において、該第１の胴には表面用転写部と裏面用一次転写部が設けられており、該第２の胴には裏面用二次転写部が設けられており、該第１の胴と該第２の胴との間に枚葉紙を搬送することにより枚葉紙の両面に同時に印刷が可能であることを特徴とする印刷機。
【請求項２】
該画像形成部はデジタル画像形成部であることを特徴とする請求項１記載の印刷機。
【請求項３】
該画像形成部は複数色の画像を形成可能であることを特徴とする請求項１又は２記載の印刷機。
【発明の詳細な説明】
【技術分野】
【０００１】
本発明は印刷機に関し、特に枚葉紙の両面に印刷が可能な両面印刷機に関するものである。
【背景技術】
【０００２】
給紙部から搬送される枚葉紙の表裏両面に印刷部にて印刷を行うことのできる印刷機が提案されている。例えば特許文献１にはこのような印刷機の開示がある。特許文献１の構成では、一つの印刷部で枚葉紙の両面を印刷可能にしている。すなわち、一組のヘッドとブランケット胴の周囲に搬送胴を配置することにより、一方の面が印刷された枚葉紙を反転させ、他方の面を同一の印刷部で印刷可能にしている。
【先行技術文献】
【特許文献】
【０００３】
【特許文献１】特開２０１４−２０５３３６号公報
【発明の概要】
【発明が解決しようとする課題】
【０００４】
しかしながら特許文献１の構成では、用紙の表裏を反転させる際、反転倍胴によって搬送される枚葉紙の紙尻を反転胴の爪機構が把持することにより、枚葉紙の天地方向が反対になるため、印刷の見当精度がずれたり、条件によっては把持できなくなったりする可能性を含んでおり、改善の余地があった。
【０００５】
本発明はこのような問題を解決するためになされたもので、簡易な構成で精度のよい両面印刷が可能な印刷機を提供することを目的とする。
【課題を解決するための手段】
【０００６】
本発明は上記目的を達成するため、画像形成部３による画像が形成される第１の胴４と、該第１の胴４と隣接する第２の胴５とを備え、該第１の胴４と該第２の胴５との間に枚葉紙を搬送することにより枚葉紙に印刷を行う印刷機において、該第１の胴４には表面用転写部４Ｆと裏面用一次転写部４Ｂが設けられており、該第２の胴５には裏面用二次転写部５Ｂが設けられており、該第１の胴４と該第２の胴５との間に枚葉紙を搬送することにより枚葉紙の両面に同時に印刷が可能であることを特徴とする。
【０００７】
また、該画像形成部３はデジタル画像形成部であることを特徴とする。
【０００８】
該画像形成部３は複数色の画像を形成可能であることを特徴とする。
【発明の効果】
【０００９】
本発明の印刷機においては、枚葉紙を反転させることなく、簡易な構成で精度のよい両面印刷が可能な印刷機を提供することができる。
【図面の簡単な説明】
【００１０】
【図１】本発明に係る印刷機の概略断面側面図である。
【図２】図１に示す印刷機の要部拡大図である。
【発明を実施するための形態】
【００１１】
次に本発明を実施するための形態について図面を参照して説明する。
【００１２】
図１は本発明に係る両面印刷が可能な印刷機の一例である。図１に示す通り、本実施例に係る印刷機はインクジェット式の枚葉印刷機である。この印刷機は、紙積み台１から図示しないフィーダ装置や用紙分離装置、そしてフィーダーボード２等により一枚ずつ印刷用紙としての枚葉紙を送り出すための給紙部と、給紙部からの枚葉紙に印刷を行うための印刷部と、印刷部で印刷された枚葉紙を排紙するための排紙部を備えている。印刷機を構成する各部の具体的な構成は図に示すものに限定されるものではない。なお、図示しない制御部が印刷機の各駆動等を制御する。
【００１３】
印刷部は、主に画像形成部であるインクジェットヘッド３と、第１の胴である第１転写胴４と、第２の胴である第２転写胴５により構成されている。第１転写胴４は第２転写胴５に対して直径が２倍（倍胴）として構成されている。印刷が施された枚葉紙は第２転写胴５から排紙される。すなわち、枚葉紙の搬送方向前側（上流側）に設けられたスプロケット６と枚葉紙の搬送方向後側（下流側）に設けられたスプロケット７に無端状のチェーン８が巻回されており、スプロケット６、７の回転により、図示しないチェーンガイドに規制された状態でチェーン８は周回する。チェーン８には図示しない複数のチェーングリッパが設けられており、第２転写胴５から受け取った枚葉紙を排紙台９に排紙可能になっている。また、チェーン８を挟んで乾燥装置１０、１０が設けられており、枚葉紙の両面を乾燥可能に構成されている。
【００１４】
インクジェットヘッド３は第１転写胴４の軸方向（紙面奥行き方向）に延びて形成されており、枚葉紙の紙面幅方向に亘って印刷可能になっている。インクジェットヘッド３はブラック（ＢＫ）、シアン（Ｃ）、マゼンタ（Ｍ）、イエロー（Ｙ）の４色のインクを吐出可能に構成されている。インクジェットヘッド３は図示しない制御部からの指示により、枚葉紙に一枚一枚異なった画像を印刷可能に構成されており、いわゆるバリアブル印刷が可能となっている。
【００１５】
図２に示す通り、第１転写胴４には２箇所のギャップ４ａが上記軸方向に長く、かつ円周方向で対向するように（１８０度間隔で）設けられている。また、両ギャップ４ａ間に亘って、一方の円周面には表面用転写部４Ｆが、他方の円周面には裏面用一次転写部４Ｂが設けられており、表面用転写部４Ｆには枚葉紙の表面に印刷すべき画像が形成され、裏面用一次転写部４Ｂには枚葉紙の裏面に印刷すべき画像が形成される。
【００１６】
第２転写胴５にはギャップ５ａが円周方向に１箇所設けられている。このギャップ５ａは第１転写胴４と第２転写胴５が回転する際、第１転写胴４の両ギャップ４ａとそれぞれ対向するように設けられている。ギャップ５ａにはフィーダーボード２により搬送される枚葉紙を爪台と爪とで把持するグリッパ５ｃが設けられる。また、第２転写胴５には裏面用二次転写部５Ｂがギャップ５ａを除く円周全面に亘って設けられており、第１転写胴４の裏面用一次転写部４Ｂに形成された画像が転写されるように構成されている。
【００１７】
このように構成された両面印刷が可能な印刷機の作用について説明する。制御部が図示しないモータを駆動させることにより、印刷機の各胴が回転を始める。各胴が所定回転数に達すると制御部はインクジェットヘッド３を制御し、インクジェットヘッド３は第１転写胴４の裏面用一次転写部４Ｂが対向している時にインクを吐出して裏面用一次転写部４Ｂに裏面画像を形成する。
【００１８】
裏面画像が転写された裏面用一次転写部４Ｂは第２転写胴５の裏面用二次転写部５Ｂと対向（対接）して画像を転写する。同時に第１転写胴４の表面用転写部４Ｆにはインクジェットヘッド３により表面画像が形成される。図１はこの状態を示している。
【００１９】
制御部の指示により図１の状態で枚葉紙はフィーダーボード２を搬送され、第２転写胴５のグリッパ５ｃに把持された状態となっている。この状態で第１転写胴４と第２転写胴５との間に枚葉紙を搬送することにより、枚葉紙の表面には表面用転写部４Ｆにより、枚葉紙の裏面には裏面用一次転写部４Ｂにより、それぞれ画像が形成される（印刷が行われる）こととなる。枚葉紙の搬送後（印刷後）には裏面用一次転写部４Ｂに再び裏面画像が形成される。よって、第２転写胴５の一回転おきに枚葉紙が供給され、画像転写及び印刷が行われることとなる。
【００２０】
印刷が行われた枚葉紙は第２転写胴５から上述のチェーングリッパに搬送され、乾燥装置１０、１０による乾燥が行われた後、排紙台９に排紙されることとなる。
【００２１】
このように構成することにより、従来の技術とは異なり、簡易な構成で両面印刷を行うことが出来る。特に反転に伴う枚葉紙の咥え変えがないので、天地方向が反対になることなく見当精度が増し、把持ミスもなく、高品質の印刷物を得ることができる。
【００２２】
尚、本発明は、前記実施形態に限定されるものではなく、本発明の要旨を逸脱しない範囲で種々の変更が可能である。例えば前述の実施形態では、第１転写胴４は倍胴として形成されていたが、これに限らず、第１転写胴４を第２転写胴５と同径の単胴としてもよい。この場合、第１転写胴４の円周面には表面画像と裏面画像とが一周ごとに交互に形成されることとなる。また、乾燥装置１０以外にも、枚葉紙に当接してインクを定着させる定着ローラを設けてもよい。
【００２３】
また、前述の実施形態では、インクジェット式印刷機であったが、これに限定されず、両面印刷可能な印刷機であれば電子写真式印刷機やグラビア印刷機やフレキソ印刷機のようなものであってもよい。
【産業上の利用可能性】
【００２４】
本発明に係る印刷機は、両面印刷が可能な印刷機において極めて有用である。
【符号の説明】
【００２５】
１      ：紙積み台
２      ：フィーダーボード
３      ：インクジェットヘッド
４      ：第１転写胴
４Ｂ    ：裏面用一次転写部
４Ｆ    ：表面用転写部
４ａ    ：ギャップ
５      ：第２転写胴
５Ｂ    ：裏面用二次転写部
５ａ    ：ギャップ
５ｃ    ：グリッパ
６      ：スプロケット
７      ：スプロケット
８      ：チェーン
９      ：排紙台
１０    ：乾燥装置
【図１】
2016203546.tif 000003
【図２】
2016203546.tif 000004